(57)【要約】      （修正有）【課題】既存の光ディスクや新規格の光ディスクに対して互換性を持たせるために回折構造を使用した場合に、回折効率の低下を防いで良好なスポットを形成するとともに、レーザー光が微小変化することによる球面収差の変化を抑えられる光ピックアップ光学系を提供する。【解決手段】光ピックアップ光学系１０は、規格の異なる少なくとも二種類の光ディスクに互換性を持ち、少なくとも１面に位相シフト面を有する光学素子１１を有し、位相シフト面１１ａは、各レーザー光を対応する光ディスクの記録面上に収束させる第一の領域１１ａｉを有し、該領域は、内側に位置する屈折面を基準にした場合における第一のレーザー光に対する光路長付加量が略２波長分となる輪帯群と、内側に位置する屈折面を基準にした場合における第一のレーザー光に対する光路長付加量が輪帯群の段差とは反対方向に略３波長分となる戻り段差部と、からなる輪帯構造を少なくとも一つ有する。【選択図】図２
2006252751.tif 000002
【特許請求の範囲】
【請求項１】
規格の異なる少なくとも二種類の光ディスクに対して波長の異なる第一および第二のレーザー光を使い分けることにより、それぞれの光ディスクに対する情報の記録または再生が可能な光ピックアップ光学系であって、
対物レンズと、
前記対物レンズよりも光源側に配置され、少なくとも１面に位相シフト面を有する光学素子と、を有し、
前記第一のレーザー光を用いて情報の記録または再生が行われる第一の光ディスクの保護層厚をｔ１、前記第一のレーザー光よりも長い波長を持つ前記第二のレーザー光を用いて情報の記録または再生が行われる第二の光ディスクの保護層厚をｔ２とすると、ｔ１およびｔ２は以下の関係、
ｔ１≦ｔ２
を満たし、
前記対物レンズの、前記第一の光ディスクに対する情報の記録または再生時に必要な開口数をＮＡ１、前記第二の光ディスクに対する情報の記録または再生時に必要な開口数をＮＡ２、とすると、
ＮＡ１≧ＮＡ２
であり、
前記位相シフト面は、前記光学素子及び前記対物レンズを透過した後に、前記第一のレーザー光を前記第一の光ディスクの記録面上に収束させ、かつ前記第二のレーザー光を前記第二の光ディスクの記録面上に収束させる第一の領域を有し、
前記第一の領域は、隣接しあう屈折面間の境界において、内側に位置する屈折面を基準にした場合における前記第一のレーザー光に対する光路長付加量が略２波長分となるような段差が形成される輪帯群と、前記輪帯群の外側に位置し、内側に位置する屈折面を基準にした場合における前記第一のレーザー光に対する光路長付加量が前記輪帯群の段差での光路長付加量とは反対方向に略３波長分となるような戻り段差部と、からなる輪帯構造を少なくとも一つ有することを特徴とする光ピックアップ光学系。
【請求項２】
請求項１に記載の光ピックアップ光学系において、
前記第一のレーザー光が入射した場合に、前記第一の光ディスクの記録面上に所望のスポット径を得るための前記光学素子の入射側の面での有効光束径が、前記第二のレーザー光が入射した場合に、前記第二の光ディスクの記録面上に所望のスポット径を得るための前記光学素子の入射側の面での有効光束径より大きく、
前記位相シフト面は、前記第一の領域の外側に、前記光学素子および前記対物レンズを透過した前記第一のレーザー光の収束には寄与し、前記光学素子および前記対物レンズを透過した前記第二のレーザー光の収束には寄与しない第二の領域を有し、
前記第二の領域は、隣接しあう屈折面間の境界において、内側に位置する屈折面を基準にした場合に、前記第一のレーザー光に対する光路長付加量が前記第一の領域とは異なるような段差が形成されていることを特徴とする光ピックアップ光学系。
【請求項３】
請求項２に記載の光ピックアップ光学系において、
前記第二の領域において、前記第一のレーザー光に対する光路長付加量は略１波長分、もしくは略−１波長分であることを特徴とする光ピックアップ光学系。
【請求項４】
請求項１に記載の光ピックアップ光学系において、
前記第二のレーザー光が入射した場合に、前記第二の光ディスクの記録面上に所望のスポット径を得るための前記光学素子の入射側の面での有効光束径が、前記第一のレーザー光が入射した場合に、前記第一の光ディスクの記録面上に所望のスポット径を得るための前記光学素子の入射側の面での有効光束径より大きく、
前記位相シフト面は、前記第一の領域の外側に、前記光学素子および前記対物レンズを透過した前記第二のレーザー光の収束には寄与し、前記光学素子および前記対物レンズを透過した前記第一のレーザー光の収束には寄与しない第二の領域を有し、
前記第二の領域は、隣接しあう屈折面間の境界において、内側に位置する屈折面を基準にした場合に、前記第二のレーザー光に対する光路長付加量が前記第一の領域とは異なるような段差が形成されていることを特徴とする光ピックアップ光学系。
【請求項５】
請求項４に記載の光ピックアップ光学系において、
前記第二の領域の段差は、前記第二のレーザー光に対する光路長付加量が略１波長分、もしくは略−１波長分となるように形成されることを特徴とする光ピックアップ光学系。
【請求項６】
請求項１から請求項５のいずれかに記載の光ピックアップ光学系において、
前記対物レンズと前記光学素子は同一の保持部材により保持されることを特徴とする光ピックアップ光学系。
【請求項７】
規格の異なる少なくとも二種類の光ディスクに対して波長の異なる第一および第二のレーザー光を使い分けることにより情報の記録または再生が可能な光ピックアップ装置であって、
請求項１から請求項６のいずれかに記載の光ピックアップ光学系と、
前記第一および第二のレーザー光を照射する光源と、を有し、
前記第一のレーザー光の波長をλ１、前記第二のレーザー光の波長をλ２、前記波長λ１に対する前記光学素子の屈折率をｎ１、前記第二の波長λ２に対する前記光学素子の屈折率をｎ２、とすると、以下の式（１）、
0.55＜(λ1/(n1-1))/(λ2/(n2-1))＜0.65      ・・・（１）
を満たすことを特徴とする光ピックアップ装置。
【請求項８】
規格の異なる少なくとも二種類の光ディスクに対して波長の異なる第一および第二のレーザー光を使い分けることにより、それぞれの光ディスクに対する情報の記録または再生が可能な光ピックアップ装置に搭載される対物レンズであって、
前記第一のレーザー光を用いて情報の記録または再生が行われる第一の光ディスクの保護層厚をｔ１、前記第一のレーザー光よりも長い波長を持つ前記第二のレーザー光を用いて情報の記録または再生が行われる第二の光ディスクの保護層厚をｔ２とすると、ｔ１およびｔ２は以下の関係、
ｔ１≦ｔ２
を満たし、
前記対物レンズの、前記第一の光ディスクに対する情報の記録または再生時に必要な開口数をＮＡ１、前記第二の光ディスクに対する情報の記録または再生時に必要な開口数をＮＡ２、とすると、
ＮＡ１≧ＮＡ２
であり、
前記対物レンズは、少なくとも１面に位相シフト構造を有し、
該位相シフト構造は、前記第一のレーザー光を前記第一の光ディスクの記録面上に収束させ、かつ前記第二のレーザー光を前記第二の光ディスクの記録面上に収束させる第一の領域を有し、
前記第一の領域は、第一のレーザー光に対する光路長付加量が略２波長分となるような段差が形成される輪帯群と、前記輪帯群の外側に位置し、内側に位置する屈折面を基準にした場合における前記第一のレーザー光に対する光路長付加量が前記輪帯群を構成する段差での光路長付加量とは反対方向に略３波長分となるような戻り段差部と、からなる輪帯構造を少なくとも一つ有することを特徴とする対物レンズ。
【請求項９】
請求項８に記載の対物レンズにおいて、
前記第一のレーザー光が入射する場合の前記対物レンズの入射側の面での有効光束径が、前記第二のレーザー光が入射する場合の前記対物レンズの入射側の面での有効光束径より大きく、
前記位相シフト構造は、前記第一の領域の外側に、前記第一のレーザー光のみを収束させて前記第二のレーザー光の収束には寄与しない第二の領域を有し、
前記第二の領域は、隣接しあう屈折面間の境界において、内側に位置する屈折面を基準にした場合に、前記第一のレーザー光に対する光路長付加量が前記第一の領域とは異なるような段差が形成されていることを特徴とする対物レンズ。
【請求項１０】
請求項９に記載の対物レンズにおいて、
前記第二の領域において、前記第一のレーザー光に対する光路長付加量は略１波長分、もしくは略−１波長分であることを特徴とする対物レンズ。
【請求項１１】
請求項８に記載の対物レンズにおいて、
前記第二のレーザー光が入射する場合の前記対物レンズの入射側の面での有効光束径が、前記第一のレーザー光が入射する場合の前記対物レンズの入射側の面での有効光束径より大きく、
前記位相シフト構造は、前記第一の領域の外側に、前記第二のレーザー光のみを収束させて前記第一のレーザー光の収束には寄与しない第二の領域を有し、
前記第二の領域は、隣接しあう屈折面間の境界において、内側に位置する屈折面を基準にした場合に、前記第二のレーザー光に対する光路長付加量が前記第一の領域とは異なる段差が形成されていることを特徴とする対物レンズ。
【請求項１２】
請求項１１に記載の対物レンズにおいて、
前記位相シフト構造の前記第二の領域において、前記第二のレーザー光に対する光路長付加量が略１波長分、もしくは略−１波長分となるように形成されることを特徴とする対物レンズ。
【請求項１３】
規格の異なる二種類の光ディスクに対して波長の異なる第一および第二のレーザー光を使い分けることにより各光ディスクに対する情報の記録または再生が可能な光ピックアップ装置であって、
請求項８から請求項１２のいずれかに記載の対物レンズと、
前記第一および第二のレーザー光を照射する光源と、を有し、
前記第一のレーザー光の波長をλ１、前記第二のレーザー光の波長をλ２、前記波長λ１に対する前記対物レンズの屈折率をｎ１、前記第二の波長λ２に対する前記対物レンズの屈折率をｎ２、とすると、以下の式（１）、
0.55＜(λ1/(n1-1))/(λ2/(n2-1))＜0.65      ・・・（１）
を満たすことを特徴とする光ピックアップ装置。
【請求項１４】
規格の異なる少なくとも二種類の光ディスクに対して波長の異なる第一および第二のレーザー光を使い分けることにより、それぞれの光ディスクに対する情報の記録または再生が可能な光ピックアップ光学系であって、
対物レンズと、
前記対物レンズよりも光源側に配置され、少なくとも１面に位相シフト面を有する光学素子と、を有し、
前記第一のレーザー光を用いて情報の記録または再生が行われる第一の光ディスクの保護層厚をｔ１、前記第一のレーザー光よりも長い波長を持つ前記第二のレーザー光を用いて情報の記録または再生が行われる第二の光ディスクの保護層厚をｔ２とすると、ｔ１およびｔ２は以下の関係、
ｔ１≦ｔ２
を満たし、
前記対物レンズの、前記第一の光ディスクに対する情報の記録または再生時に必要な開口数をＮＡ１、前記第二の光ディスクに対する情報の記録または再生時に必要な開口数をＮＡ２、とすると、
ＮＡ１≧ＮＡ２
であり、
前記位相シフト面は、前記光学素子及び前記対物レンズ透過した後に、前記第一のレーザー光を前記第一の光ディスクの記録面上に収束させ、かつ前記第二のレーザー光を前記第二の光ディスクの記録面上に収束させる第一の領域を有し、
前記第一の領域は、入射する各レーザー光に対して、第一の方向へ位相をシフトする複数の段差を持つ輪帯群、および入射する各レーザー光に対して前記第一の方向とは逆の第二の方向へ位相をシフトする戻り段差部、を備える輪帯構造を少なくとも一つ有し、
光軸側から数えて第ｉ番目に位置する第ｉ輪帯群における最も外側の輪帯での、光軸近傍の輪帯を基準とした場合の前記第一のレーザー光に対する光路長付加量をφｉｅ［λ］、光軸側から数えて第ｉ番目に位置する第ｉ戻り段差部での、光軸近傍の輪帯を基準とした場合の前記第一のレーザー光に対する光路長付加量φｉｍ［λ］とした場合、以下の条件（２）、
-5<|φie-φ(i-1)m|-|φim-φie|<4      ・・・（２）
但し、ｉ＝１の時、φ（ｉ−１）＝０
を満たすことを特徴とする光ピックアップ光学系。
【請求項１５】
さらに以下の条件（３）、
2.7<|φim-φie|<3.3      ・・・（３）
を満たすことを特徴とする請求項１４に記載の光ピックアップ光学系。
【請求項１６】
規格の異なる少なくとも二種類の光ディスクに対して波長の異なる第一および第二のレーザー光を使い分けることにより、それぞれの光ディスクに対する情報の記録または再生が可能な光ピックアップ装置であって、
請求項１４または請求項１５に記載の光ピックアップ光学系と、
前記第一および第二のレーザー光を照射する光源と、を有し、
前記第一のレーザー光の波長をλ１、前記第二のレーザー光の波長をλ２、前記波長λ１に対する前記光学素子の屈折率をｎ１、前記第二の波長λ２に対する前記光学素子の屈折率をｎ２、とすると、以下の式（１）、
0.55＜(λ1/(n1-1))/(λ2/(n2-1))＜0.65    ・・・（１）
を満たすことを特徴とする光ピックアップ装置。
【請求項１７】
規格の異なる少なくとも二種類の光ディスクに対して波長の異なる第一および第二のレーザー光を使い分けることにより、それぞれの光ディスクに対する情報の記録または再生が可能な光ピックアップ装置に用いられる対物レンズであって、
前記第一のレーザー光を用いて情報の記録または再生が行われる第一の光ディスクの保護層厚をｔ１、前記第一のレーザー光よりも長い波長を持つ前記第二のレーザー光を用いて情報の記録または再生が行われる第二の光ディスクの保護層厚をｔ２とすると、ｔ１およびｔ２は以下の関係、
ｔ１≦ｔ２
を満たし、
前記対物レンズの、前記第一の光ディスクに対する情報の記録または再生時に必要な開口数をＮＡ１、前記第二の光ディスクに対する情報の記録または再生時に必要な開口数をＮＡ２、とすると、
ＮＡ１≧ＮＡ２
であり、
前記対物レンズは、少なくとも１面に位相シフト構造を有し、
該位相シフト構造は、前記第一のレーザー光を前記第一の光ディスクの記録面上に収束させ、かつ前記第二のレーザー光を前記第二の光ディスクの記録面上に収束させる第一の領域を有し、
前記第一の領域は、入射する各レーザー光に対して、第一の方向へ位相をシフトする段差を持ち、入射する各レーザー光に対して第一の方向へ位相をシフトする輪帯群、および入射する各レーザー光に対して前記第一の方向とは逆の第二の方向へ位相をシフトする戻り段差部、を備える輪帯構造を少なくとも一つ有し、
光軸側から数えて第ｉ番目に位置する第ｉ輪帯群における最も外側の輪帯での、光軸近傍の輪帯を基準とした場合の前記第一のレーザー光に対する光路長付加量をφｉｅ［λ］、光軸側から数えて第ｉ番目に位置する第ｉ戻り段差部での、光軸近傍の輪帯を基準とした場合の光路長付加量φｉｍ［λ］とした場合、以下の条件（２）、
-5<|φie-φ(i-1)m|-|φim-φie|<4      ・・・（２）
但し、ｉ＝１の時、φ（ｉ−１）＝０
を満たすことを特徴とする対物レンズ。
【請求項１８】
さらに以下の条件（３）、
2.7<|φim-φie|<3.3      ・・・（３）
を満たすことを特徴とする請求項１７に記載の対物レンズ。
【請求項１９】
規格の異なる二種類の光ディスクに対して波長の異なる第一および第二のレーザー光を使い分けることにより、それぞれの光ディスクに対する情報の記録または再生が可能な光ピックアップ装置であって、
請求項１７または請求項１８に記載の対物レンズと、
前記各光束を照射する光源と、を有し、
前記第一のレーザー光の波長をλ１、前記第二のレーザー光の波長をλ２、前記波長λ１に対する前記対物レンズの屈折率をｎ１、前記第二の波長λ２に対する前記対物レンズの屈折率をｎ２、とすると、以下の式（１）、
0.55＜(λ1/(n1-1))/(λ2/(n2-1))＜0.65      ・・・（１）
を満たすことを特徴とする光ピックアップ装置。
【発明の詳細な説明】
【技術分野】
【０００１】
この発明は、記録密度が異なる複数種類の光ディスクに対するデータの記録または再生を行う光ピックアップ装置および該装置に用いられる対物レンズに関する。
【背景技術】
【０００２】
光ディスクには、記録密度が異なる複数の規格が存在する。例えば、近年、情報記録のさらなる高容量化を実現すべく実用化されつつあるＢＤ（Blu-ray Disc）やＨＤ  ＤＶＤといった新規格の光ディスクは、既存の光ディスクの中でも比較的記録密度が高いＤＶＤ（Digital Versatile Disc）よりも記録密度が高い。そこで、規格が異なる光ディスクに対する互換性を光情報記録再生装置に持たせるためには、該装置において、情報の記録または再生に使用する光の開口数（ＮＡ）を変化させて、記録密度の違いに対応したビームスポットが得られるようにする必要がある。
【０００３】
具体的には、新規格の光ディスクに対する情報の記録または再生には、ＤＶＤ専用の光学系より高ＮＡの光学系を用いてビームスポットを絞る必要がある。スポット径は波長が短いほど小さく絞れるため、新規格の光ディスクを利用する光学系では、ＤＶＤ専用の光学系で用いられていた約６６０ｎｍよりも短い約４０５ｎｍの発振波長のレーザー光源を用いる必要がある。そのため近年、規格が異なる光ディスクに対する互換性を持つ光情報記録再生装置には、波長の異なるレーザー光を発振可能な光源部を有する光ピックアップ装置が使用されている。
【０００４】
また、一般に記録密度の高い光ディスクを使用する場合は、収差に対する許容度が小さくなることが知られている。そのため、ＤＶＤや新規格の光ディスクに対して互換性を持つ光情報記録再生装置では、球面収差を如何に小さく抑えるかがより一層重要な課題になる。
【０００５】
なお、本文において、光情報記録再生装置と記した場合には、情報の記録専用装置、情報の再生専用装置、情報の記録および再生兼用装置、の全てを含むものとする。また、互換性を持つとは、使用する光ディスクを切り替えたとしても部品を交換したりすることなく情報の記録または再生が保証されることをいう。
【０００６】
規格が異なる複数の光ディスクに対して、それぞれ良好な状態で各光ディスクの記録面上にレーザー光を収束させる手段の一つとしてレーザー光の光路中に回折構造を配設することが提案される。該提案は、例えば、以下の特許文献１や特許文献２に開示される。
【０００７】
【特許文献１】特開２００１−９３１７９号公報
【特許文献２】特開平９−５４９７３号公報
【０００８】
特許文献１は、４００ｎｍ台のレーザー光を用いて新規格の光ディスクに対する情報の記録または再生を行い、６５０ｎｍ台のレーザー光を用いてＤＶＤに対する情報の記録または再生を行うための回折光学素子を有する光ピックアップが開示されている。特許文献１の光ピックアップにおいて回折光学素子は、新規格の光ディスクに対する情報の記録または再生には２次回折光が用いられ、ＤＶＤに対する情報の記録または再生には１次回折光が用いられるように構成される。あるいは該回折光学素子は、新規格の光ディスクに対する情報の記録または再生には３次回折光を用い、ＤＶＤに対する情報の記録または再生には２次回折光を用いるように構成される。このように構成することにより、各レーザー光の回折効率の低下を抑えつつも、各レーザー光の波長が異なることに起因する球面収差を補正して、各光ディスクの記録面上で情報の記録または再生に好適なスポットを形成している。
【０００９】
しかし、上記特許文献１に開示する光ピックアップの構成では、各光ディスク使用時に用いられるレーザー光が、各光ディスク使用時に好適とされる波長（以下、設計波長という）から微小にずれることによる球面収差の変化については想定されていない。特に、異なる厚さの保護層を持つ複数の光ディスクに対する互換性を得るために回折光学素子を利用した場合、実際に使用されるレーザー光の波長が設計波長から微小変化したことによる球面収差の変化は非常に大きく現れる。該球面収差の変化は、情報の記録または再生、特に記録密度の高い新規格の光ディスクに対する情報の記録または再生に支障をきたすおそれがある。
【００１０】
また、特許文献２は、特許文献１と同様に回折光学素子による回折作用を利用して、二種類の光ディスクに互換性を持つ光ヘッド装置が開示されている。該光ヘッド装置において、回折光学素子は、記録密度の高い光ディスクに対する情報の記録または再生には１次回折光が用いられ、記録密度の低い光ディスクに対する情報の記録または再生には透過光が用いられるように構成される。
【００１１】
ここで、特許文献２の光ヘッド装置は、あくまでＤＶＤと記録密度が相対的に低いＣＤ（Compact Disc）に対して互換性を持つように設計されている。つまり、特許文献２の光ヘッド装置は、新規格の光ディスクに対する情報の記録または再生を全く想定していない。そのため、特許文献２の光ヘッド装置で４００ｎｍ台のレーザー光を用いると、新規格の光ディスクの記録面上において球面収差を始めとする諸収差が発生してしまい、該新規格の光ディスクに対する情報の記録または再生に適したスポットを形成することができない。つまり、上述した新規格の光ディスクに対する情報の記録または再生ができない。さらに、特許文献２の光ヘッド装置でも、各光ディスク使用時に用いられるレーザー光が、設計波長から微小にずれることによる球面収差をコントロールすることが困難である。従って上記特許文献１と同様の問題を有している。
【発明の開示】
【発明が解決しようとする課題】
【００１２】
そこで本発明は上記の事情に鑑み、既存の比較的記録密度の高い光ディスクおよび該既存の光ディスクよりも記録密度の高い新規格の光ディスクに対して互換性を持たせるために回折構造を使用した場合に、いずれの光ディスク使用時でも回折効率の低下を有効に防いで各光ディスクの記録面上において良好なスポットを形成するとともに、各光ディスク使用時に用いられるレーザー光が設計波長から微小変化した場合であっても球面収差の変化を小さく抑えることができる光ピックアップ光学系や対物レンズおよび該光ピックアップ光学系や対物レンズを搭載する光ピックアップ装置を提供することを目的とする。
【課題を解決するための手段】
【００１３】
上記課題を解決するため、本発明の光ピックアップ光学系は、規格の異なる少なくとも二種類の光ディスクに対して波長の異なる第一および第二のレーザー光を使い分けることにより、それぞれの光ディスクに対する情報の記録または再生が可能な光ピックアップ光学系であって、対物レンズと、対物レンズよりも光源側に配置され、少なくとも１面に位相シフト面を有する光学素子と、を有し、第一のレーザー光を用いて情報の記録または再生が行われる第一の光ディスクの保護層厚をｔ１、第一のレーザー光よりも長い波長を持つ第二のレーザー光を用いて情報の記録または再生が行われる第二の光ディスクの保護層厚をｔ２とすると、ｔ１およびｔ２は以下の関係、
ｔ１≦ｔ２
を満たし、
対物レンズの、第一の光ディスクに対する情報の記録または再生時に必要な開口数をＮＡ１、第二の光ディスクに対する情報の記録または再生時に必要な開口数をＮＡ２、とすると、
ＮＡ１≧ＮＡ２
であり、
位相シフト面は、光学素子及び対物レンズ透過した後に、第一のレーザー光を第一の光ディスクの記録面上に収束させ、かつ第二のレーザー光を第二の光ディスクの記録面上に収束させる第一の領域を有し、第一の領域は、隣接しあう屈折面間の境界において、内側に位置する屈折面を基準にした場合における第一のレーザー光に対する光路長付加量が略２波長分となるような段差が形成される輪帯群と、輪帯群の外側に位置し、内側に位置する屈折面を基準にした場合における第一のレーザー光に対する光路長付加量が輪帯群の段差とは反対方向に略３波長分となるような戻り段差部と、からなる輪帯構造を少なくとも一つ有することを特徴とする。
【００１４】
請求項１に記載の発明によれば、このように構成することにより、特に新規格の光ディスク（第一の光ディスク）に対する情報の記録または再生時に、使用されるレーザー光が設計波長から微小に変化した場合であっても、該変化に伴う球面収差の変化を小さく抑えることができる。また、上記構成により、新規格の光ディスクおよび既存の光ディスク（第二の光ディスク）のいずれに対する情報の記録または再生時における回折効率の低下も良好に抑えることができる。従って、本発明によれば、微小な波長変化の影響を受けることなく、情報の記録または再生に好適なスポットを対象となる光ディスクの記録面上に形成することができる。
【００１５】
請求項２に記載の光ピックアップ光学系によれば、第一のレーザー光が入射した場合に、第一の光ディスクの記録面上に所望のスポット径を得るための光学素子の入射側の面での有効光束径が、第二のレーザー光が入射した場合に、第二の光ディスクの記録面上に所望のスポット径を得るための光学素子の入射側の面での有効光束径より大きくなるように設定した場合、位相シフト面は、第一の領域の外側に、光学素子および対物レンズを透過した第一のレーザー光の収束には寄与し、光学素子および対物レンズを透過した第二のレーザー光の収束には寄与しない第二の領域を有することが望ましい。この場合、該第二の領域は、隣接しあう屈折面間の境界において、内側に位置する屈折面を基準にした場合に、第一のレーザー光に対する光路長付加量が第一の領域とは異なるような段差が形成される。
【００１６】
上記のような第二の領域を設ける場合、第一のレーザー光に対する光路長付加量は略１波長分、もしくは略−１波長分であることが好ましい（請求項３）。
【００１７】
また、請求項４に記載の光ピックアップ光学系によれば、第二のレーザー光が入射した場合に、第二の光ディスクの記録面上に所望のスポット径を得るための光学素子の入射側の面での有効光束径が、第一のレーザー光が入射した場合に、第一の光ディスクの記録面上に所望のスポット径を得るための光学素子の入射側の面での有効光束径より大きくなるよう設定した場合、位相シフト面は、第一の領域の外側に、光学素子および対物レンズを透過した第二のレーザー光の収束には寄与し、光学素子および対物レンズを透過した第一のレーザー光の収束には寄与しない第二の領域を有することが望ましい。この場合、第二の領域は、隣接しあう屈折面間の境界において、内側に位置する屈折面を基準にした場合に、第二のレーザー光に対する光路長付加量が第一の領域とは異なるような段差が形成される。
【００１８】
上記のような第二の領域を設ける場合、第二の領域の段差は、第二のレーザー光に対する光路長付加量が略１波長分、もしくは略−１波長分とであることが好ましい（請求項５）。
【００１９】
以上のように、有効光束径の大小に応じて、第一の領域の外側にさらに所定の光路長差を与える段差を持つ第二の領域を設けることにより、いずれのレーザー光を使用する時でも、各光ディスクの記録面上において良好なスポットを形成することができる。
【００２０】
なお、光ピックアップ光学系を構成する対物レンズと光学素子を同一の保持部材によって保持されることにより、両者の相対的な位置ずれを有効に回避して性能劣化を防ぐことができる（請求項６）。
【００２１】
また、請求項１から請求項６のいずれかに記載の光ピックアップ光学系は、第一のレーザー光の波長をλ１、第二のレーザー光の波長をλ２、波長λ１に対する対物レンズの屈折率をｎ１、第二の波長λ２に対する対物レンズの屈折率をｎ２、とすると、以下の式（１）、
0.55＜(λ1/(n1-1))/(λ2/(n2-1))＜0.65  ・・・（１）
を満たすような少なくとも二種類の光束を照射する光源を備える光ピックアップ装置に搭載される（請求項７）。このような光ピックアップ装置は、規格の異なる二種類の光ディスクのいずれに対して情報の記録または再生を行うことができる。条件式（１）の上限以上になると、ＤＶＤ使用時における光の利用効率が低下してしまい好ましくない。下限以下になると、ＢＤもしくはＨＤ  ＤＶＤ使用時における光の利用効率が低下してしまい好ましくない。
【００２２】
また、本発明に係る対物レンズは、規格の異なる少なくとも二種類の光ディスクに対して波長の異なる第一および第二のレーザー光を使い分けることにより、それぞれの光ディスクに対する情報の記録または再生が可能な光ピックアップ装置に搭載される対物レンズであって、第一のレーザー光を用いて情報の記録または再生が行われる第一の光ディスクの保護層厚をｔ１、第一のレーザー光よりも長い波長を持つ第二のレーザー光を用いて情報の記録または再生が行われる第二の光ディスクの保護層厚をｔ２とすると、ｔ１およびｔ２は以下の関係、
ｔ１≦ｔ２
を満たし、
対物レンズの、第一の光ディスクに対する情報の記録または再生時に必要な開口数をＮＡ１、第二の光ディスクに対する情報の記録または再生時に必要な開口数をＮＡ２、とすると、
ＮＡ１≧ＮＡ２
であり、
対物レンズは、少なくとも１面に位相シフト構造を有し、該位相シフト構造は、第一のレーザー光を第一の光ディスクの記録面上に収束させ、かつ第二のレーザー光を第二の光ディスクの記録面上に収束させる第一の領域を有し、第一の領域は、第一のレーザー光に対する光路長付加量が略２波長分となるような段差が形成される輪帯群と、輪帯群の外側に位置し、内側に位置する屈折面を基準にした場合における第一のレーザー光に対する光路長付加量が輪帯群を構成する段差とは反対方向に略３波長分となるような戻り段差部と、からなる輪帯構造を少なくとも一つ有することを特徴とする。
【００２３】
請求項９に記載の対物レンズによれば、第一のレーザー光が入射する場合の対物レンズの入射側の面での有効光束径が、第二のレーザー光が入射する場合の対物レンズの入射側の面での有効光束径より大きくなるよう設定した場合、上記光ピックアップ光学系における位相シフト面と同様に、上記位相シフト構造は、第一の領域の外側に、第一のレーザー光のみを収束させて第二のレーザー光の収束には寄与しない第二の領域を有することが望ましい。そして、該第二の領域では、隣接しあう屈折面間の境界において、内側に位置する屈折面を基準にした場合に、第一のレーザー光に対する光路長付加量は、第一の領域とは異なる段差が形成される。
【００２４】
該位相シフト構造の第二の領域において、第一のレーザー光に対する光路長付加量が略１波長分、もしくは略−１波長分となるように形成されることが好ましい（請求項１０）。
【００２５】
また、第二のレーザー光が入射する場合の対物レンズの入射側の面での有効光束径が、第一のレーザー光が入射する場合の対物レンズの入射側の面での有効光束径より大きくなるよう設定した場合、位相シフト構造は、第一の領域の外側に、第二のレーザー光のみを収束させて第一のレーザー光の収束には寄与しない第二の領域を有することが望ましい。該第二の領域では、隣接しあう屈折面間の境界において、内側に位置する屈折面を基準にした場合に、第二のレーザー光に対する光路長付加量は、第一の領域とは異なる段差が形成される（請求項１１）。
【００２６】
上記位相シフト構造の第二の領域において、光路長付加量は略１波長分、もしくは略−１波長分となるように形成されることが好ましい（請求項１２）。
【００２７】
また、請求項８から請求項１２のいずれかに記載の対物レンズは、第一のレーザー光の波長をλ１、第二のレーザー光の波長をλ２、波長λ１に対する対物レンズの屈折率をｎ１、第二の波長λ２に対する対物レンズの屈折率をｎ２、とすると、以下の式（１）、
0.55＜(λ1/(n1-1))/(λ2/(n2-1))＜0.65    ・・・（１）
を満たすような少なくとも二種類の光束を照射する光源を備える光ピックアップ装置に搭載される（請求項１３）。このような光ピックアップ装置は、規格の異なる少なくとも二種類の光ディスクのいずれに対しても情報の記録または再生を行うことができる。
【００２８】
また、別の観点から、本発明に係る光ピックアップ光学系は、規格の異なる少なくとも二種類の光ディスクに対して波長の異なる第一および第二のレーザー光を使い分けることにより、それぞれの光ディスクに対する情報の記録または再生が可能な光ピックアップ光学系であって、対物レンズと、対物レンズよりも光源側に配置され、少なくとも１面に位相シフト面を有する光学素子と、を有し、第一のレーザー光を用いて情報の記録または再生が行われる第一の光ディスクの保護層厚をｔ１、第一のレーザー光よりも長い波長を持つ第二のレーザー光を用いて情報の記録または再生が行われる第二の光ディスクの保護層厚をｔ２とすると、ｔ１およびｔ２は以下の関係、
ｔ１≦ｔ２
を満たし、
対物レンズの、第一の光ディスクに対する情報の記録または再生時に必要な開口数をＮＡ１、第二の光ディスクに対する情報の記録または再生時に必要な開口数をＮＡ２、とすると、
ＮＡ１≧ＮＡ２
であり、
位相シフト面は、光学素子及び対物レンズを透過した後、第一のレーザー光を第一の光ディスクの記録面上に収束させ、かつ第二のレーザー光を第二の光ディスクの記録面上に収束させる第一の領域を有し、第一の領域は、入射する各レーザー光に対して、第一の方向へ位相をシフトする段差を持つ輪帯群、および入射する各レーザー光に対して第一の方向とは逆の第二の方向へ位相をシフトする戻り段差部、を備える輪帯構造を少なくとも一つ有し、光軸側から数えて第ｉ番目に位置する第ｉ輪帯群における最も外側の輪帯での、光軸近傍の輪帯を基準とした場合の第一のレーザー光に対する光路長付加量をφｉｅ［λ］、光軸側から数えて第ｉ番目に位置する第ｉ戻り段差部での、光軸近傍の輪帯を基準とした場合の第一のレーザー光に対する光路長付加量φｉｍ［λ］とした場合、以下の条件（２）、
-5＜|φie-φ(i-1)m|-|φim-φie|＜4      ・・・（２）
但し、ｉ＝１の時、φ（ｉ−１）＝０
を満たすことを特徴とする（請求項１４）。
【００２９】
請求項１４に記載の光ピックアップ光学系によれば、該光学系は、さらに以下の条件（３）、
2.7＜|φim-φie|＜3.3      ・・・（３）
を満たすことが好ましい（請求項１５）。
【００３０】
さらに、別の観点から、本発明に係る対物レンズは、規格の異なる少なくとも二種類の光ディスクに対して波長の異なる第一および第二のレーザー光を使い分けることにより、それぞれの光ディスクに対する情報の記録または再生が可能な光ピックアップ装置に用いられる対物レンズであって、第一のレーザー光を用いて情報の記録または再生が行われる第一の光ディスクの保護層厚をｔ１、第一のレーザー光よりも長い波長を持つ第二のレーザー光を用いて情報の記録または再生が行われる第二の光ディスクの保護層厚をｔ２とすると、ｔ１およびｔ２は以下の関係、
ｔ１≦ｔ２
を満たし、
対物レンズの、第一の光ディスクに対する情報の記録または再生時に必要な開口数をＮＡ１、第二の光ディスクに対する情報の記録または再生時に必要な開口数をＮＡ２、とすると、
ＮＡ１≧ＮＡ２
であり、
対物レンズは、少なくとも１面に位相シフト構造を有し、該位相シフト構造は、第一のレーザー光を第一の光ディスクの記録面上に収束させ、かつ第二のレーザー光を第二の光ディスクの記録面上に収束させる第一の領域を有し、第一の領域は、入射する各レーザー光に対して、第一の方向へ位相をシフトする段差を持ち、入射する各レーザー光に対して第一の方向へ位相をシフトする輪帯群、および入射する各レーザー光に対して第一の方向とは逆の第二の方向へ位相をシフトする戻り段差部、を備える輪帯構造を少なくとも一つ有し、光軸側から数えて第ｉ番目に位置する第ｉ輪帯群における最も外側の輪帯での、光軸近傍の輪帯を基準とした場合の第一のレーザー光に対する光路長付加量をφｉｅ［λ］、光軸側から数えて第ｉ番目に位置する第ｉ戻り段差部での、光軸近傍の輪帯を基準とした場合の光路長付加量φｉｍ［λ］とした場合、以下の条件（２）、
-5＜|φie-φ(i-1)m|-|φim-φie|＜4      ・・・（２）
但し、ｉ＝１の時、φ（ｉ−１）＝０
を満たすことを特徴とする（請求項１７）。
【００３１】
請求項１７に記載の光ピックアップ光学系によれば、該光学系はさらに以下の条件（３）、
2.7＜|φim-φie|＜3.3      ・・・（３）
を満たすことが好ましい（請求項１８）。
【発明の効果】
【００３２】
以上のように、本発明によれば、光学素子の一面、あるいは対物レンズの一面を上述したような特徴を持つ段差構造として形成することにより、情報の記録または再生時に使用されるレーザー光の設計波長からのずれに起因する球面収差の変化を小さく抑えることができる。これは、特に記録密度が高く収差に対する許容度が小さい新規格の光ディスク使用時に非常に効果的である。同時に、該段差構造は、回折効率の低下を低減する効果も奏する。従って第一と第二のいずれの光ディスク使用時であっても、各光ディスクの記録面上に情報の記録または再生に良好なスポットを形成することができる。
【発明を実施するための最良の形態】
【００３３】
以下、本発明に係る光ピックアップ光学系１０を搭載する光ピックアップ装置１００や本発明に係る対物レンズ２０を搭載する光ピックアップ装置２００の実施形態を説明する。光ピックアップ装置１００、２００は、記録密度が異なる第一と第二の光ディスクＤ１、Ｄ２に対して互換性を有する光情報記録再生装置に搭載される。なお、どの光ディスクも情報の記録または再生時は、図示しないターンテーブル上に載置され回転駆動される。
【００３４】
各光情報記録再生装置により情報の記録または再生が行われる光ディスクＤ１、Ｄ２は、各保護層厚をｔ１、ｔ２とすると、以下の関係を有している。
ｔ１≦ｔ２
【００３５】
また、各光ディスクＤ１、Ｄ２のそれぞれに対して情報の記録または再生を行う場合、記録密度の違いに対応したビームスポットが得られるように、必要とされるＮＡの値を変化させる必要がある。ここで、各光ディスクＤ１、Ｄ２に対する情報の記録または再生時に必要とされる最適な設計開口数を、それぞれＮＡ１、ＮＡ２とすると、各ＮＡには以下のような関係がある。
ＮＡ１≧ＮＡ２
つまり、記録密度がより高い第一の光ディスクＤ１に対する情報の記録または再生時には、より小径なスポットの形成が要求されるため、必要なＮＡが高くなる。
【００３６】
具体的な例としては、第一の光ディスクＤ１は、ＤＶＤよりも高容量の情報記録が可能な新規格の光ディスク、例えばＢＤやＨＤ  ＤＶＤを想定する。また、第二の光ディスクは、既存の光ディスクにおいて比較的記録密度が高い光ディスク、例えばＤＶＤを想定する。
【００３７】
上記のように記録密度が異なる各光ディスクＤ１、Ｄ２を使用する場合、各記録密度に対応したビームスポットの径が得られるように、それぞれ異なる波長のレーザー光が用いられる。具体的には、第一の光ディスクＤ１に対して情報の記録または再生を行う際には、第一の光ディスクＤ１の記録面上においてより小径のビームスポットを形成するために、最も短い設計波長（第一の波長）であるレーザー光（以下、第一のレーザー光という）が光源から照射される。第一の波長としては、例えば４００ｎｍ台の波長が選択される。そして第二の光ディスクＤ２に対して情報の記録または再生を行う際には、第一の光ディスクＤ１の記録面上において形成されるスポットよりは大きな径のスポットが第二の光ディスクＤ２の記録面上に形成されるように、第一のレーザー光より長い設計波長（第二の波長）であるレーザー光（以下、第二のレーザー光という）が光源から照射される。第二の波長としては、例えば６５０ｎｍ台の波長が選択される。
【００３８】
図１は、光ピックアップ光学系１０を搭載する光ピックアップ装置１００の概略構成および光ディスクＤ１、Ｄ２を示す図である。光ピックアップ装置１００は、第一のレーザー光を照射する光源１Ａ、第二のレーザー光を照射する光源２Ａ、コリメートレンズ１Ｂ、２Ｂ、ビームスプリッタ３、光ピックアップ光学系１０、ハーフミラー４、受光部５を有する。図１では、第一のレーザー光を実線で示し、第二のレーザー光を点線で示す。
【００３９】
第一の光ディスクＤ１使用時に光源１Ａから照射される第一のレーザー光は、ハーフミラー４で偏向され、コリメートレンズ１Ｂを介して平行光束に変換された後、ビームスプリッタ３を介して光ピックアップ光学系１０に入射する。そして、光ピックアップ光学系１０から射出された第一のレーザー光は、ターンテーブル上に載置された第一の光ディスクＤ１の記録面上に収束する。
【００４０】
第二の光ディスクＤ２使用時に光源２Ａから照射される第二のレーザー光は、コリメートレンズ２Ｂを介して平行光束に変換された後、ビームスプリッタ３を介して光ピックアップ光学系１０に入射する。そして、光ピックアップ光学系１０から射出された第二のレーザー光は、ターンテーブル上に載置された第二の光ディスクＤ２の記録面上に収束する。
【００４１】
なお、上記の通り、光ピックアップ光学系１０に入射する各レーザー光を平行光束にすることにより、光ピックアップ光学系１０をトラッキングシフトした場合においてコマ収差等の軸外収差の発生を有効に防止することができる。
【００４２】
各光ディスクＤ１、Ｄ２の記録面で反射した各レーザー光は、ハーフミラー４を透過し、受光部５によって受光される。
【００４３】
図２は、光ピックアップ光学系１０を拡大して示した図である。光ピックアップ光学系１０は、位相シフト素子１１および対物レンズ１２を有する。位相シフト素子１１と対物レンズ１２は、レンズホルダ１３によって保持されている。このように、光ピックアップ光学系１０を複数の光学素子から構成する場合、各素子をレンズホルダ１３のように同一の保持部材によって保持することにより、各素子の相対的な位置ずれによる性能劣化を防ぎ、フォーカシング時の駆動制御を容易にしている。
【００４４】
位相シフト素子１１は、光源側から順に第一面１１ａと第二面１１ｂを有する。第一面１１ａは以下に詳述するような段差が連続して形成される位相シフト構造を持つ位相シフト面である。より具体的には、第一面１１ａは、光軸ＡＸの周囲にある内側領域（第一の領域）１１ａｉと内側領域１１ａｉの外側に形成される外側領域（第二の領域）１１ａｏを有する。内側領域１１ａｉと外側領域１１ａｏは、互いに異なる位相シフト構造を有する。
【００４５】
なお、本実施形態では、第二面１１ｂは、平面として形成されている。しかし、本発明に係る光ピックアップ光学系において、位相シフト素子１１の第二面１１ｂも第一面１１ａと同様に位相シフト面として構成することも可能である。
【００４６】
以下、第一面１１ａの内側領域１１ａｉが有する位相シフト構造について詳説する。内側領域１１ａｉの位相シフト構造は、複数の段差を有し、入射光束に対して第一の方向（例えば光ピックアップ光学系１０から各光ディスクに向かう方向）に位相をシフトさせる輪帯群と、第一の方向とは逆の第二の方向（例えば光ピックアップ光学系１０から光源に向かう方向）に位相をシフトさせる戻り段差部と、から構成される輪帯構造を有している。図３は、該輪帯構造を説明するための模式図である。なお以下の位相シフト構造の説明で用いる光路長付加量は、第一のレーザー光の設計波長（第一の波長）を基準にしている。
【００４７】
図３に示すように、光軸ＡＸから第ｉ番目に位置する輪帯構造（第ｉ輪帯構造）に着目した場合、輪帯群を構成する各段差における光路長付加量はすべて同一に形成される。また、第ｉ輪帯構造を構成する第ｉ輪帯群における光路長付加量をＸ（ｉ）、第ｉ輪帯構造を構成する第ｉ戻り段差部における光路長付加量をＹ（ｉ）とすると、第ｉ輪帯構造は、以下の条件（α）を満たすように形成される。
-5＜|X(i)|-|Y(i)|＜4      ・・・（α）
【００４８】
ここで、光軸近傍の輪帯を基準とした場合において、第ｉ輪帯群における最も外側の輪帯での光路長付加量をφｉｅ（単位：λ）、第ｉ戻り段差部における光路長付加量をφｉｍ（単位：λ）とすると、上記条件（α）は、以下の条件（２）として表される。
-5＜|φie-φ(i-1)m|-|φim-φie|＜4      ・・・（２）
但し、ｉ＝１の時、φ（ｉ−１）＝０とする。
【００４９】
条件（２）は、特に第一の光ディスクＤ１に対する情報の記録または再生時に第一のレーザー光の波長が第一の波長から微小に変化することによって生じる球面収差の変化を小さく抑えるための条件である。条件（２）の値が下限以下になると、各光ディスクに対する情報の記録または再生時に用いられるレーザー光の波長が設計波長から微小に変化することにより変化する球面収差に対する補正が過剰になってしまう。また、条件（２）の値が上限以上になると、該球面収差に対する補正が不足してしまう。よっていずれの状態も高精度な情報の記録または再生には好ましくない。
【００５０】
また、第二の光ディスクＤ２に対する情報の記録または再生時、第二のレーザー光の回折効率の低下を防ぎ、第二の光ディスクＤ２の記録面上に良好なスポットが形成されるために、条件（２）における|φim-φie|、つまり光路長付加量Ｙ（ｉ）の絶対値は、以下の条件（３）を満たすように構成される。
2.7＜|φim-φie|＜3.3      ・・・（３）
【００５１】
次いで外側領域１１ａｏが有する位相シフト構造について説明する。外側領域１１ａｏは、第一の光ディスクＤ１使用時と第二の光ディスクＤ２使用時で必要とされる有効光束径が異なる場合に設けられる。
【００５２】
第一の光ディスクＤ１使用時に必要とされる有効光束径が第二の光ディスクＤ２使用時に必要とされる有効光束径よりも大きい場合、外側領域１１ａｏは、該領域１１ａｏを透過する第一のレーザー光が第一の光ディスクＤ１の記録面上で良好に収束し、該領域１１ａｏを透過する第二のレーザー光に対しては第二の光ディスクＤ２の記録面上での収束に寄与しないような位相シフト構造を有するように構成される。
【００５３】
具体的には、外側領域１１ａｏの位相シフト構造は、少なくとも一つ以上の段差によって区切られた複数の輪帯から構成されている。そして、各段差での第一のレーザー光に対する光路長付加量が内側領域１１ａｉ（より具体的には、内側領域１１ａｉの各輪帯群における各段差および戻り段差部）で付与される第一のレーザー光に対する光路長付加量と異なるように構成される。
【００５４】
なお、第二の光ディスクＤ２使用時に必要とされる有効光束径が第一の光ディスクＤ１使用時に必要とされる有効光束径よりも大きい場合には、外側領域１１ａｏは、該領域１１ａｏを透過する第二のレーザー光が第二の光ディスクＤ２の記録面上で良好に収束し、該領域１１ａｏを透過する第一のレーザー光に対しては第一の光ディスクＤ１の記録面上での収束に寄与しないような位相シフト構造を有するように構成される。この場合、外側領域１１ａｏの位相シフト構造は、第二のレーザー光に対する光路長付加量が内側領域１１ａｉで付与される第二のレーザー光に対する光路長付加量と異なるように構成される。
【００５５】
次いで光ピックアップ装置２００の説明をする。図４は、対物レンズ２０を搭載する光ピックアップ装置２００の概略構成および光ディスクＤ１、Ｄ２を示す図である。図４において、光ピックアップ装置１００と同一の構成は図１と同一の符号を付し、ここでの説明は省略する。
【００５６】
図５は、対物レンズ２０を拡大して示した図である。対物レンズ２０は、光源側から順に第一面２０ａ、第二面２０ｂを有する。第一面２０ａは、上述した位相シフト素子１１における第一面１１ａと同様に位相シフト面として構成される。そして、第一面２０ａは、互いに異なる位相シフト構造を持つ内側領域２０ａｉと外側領域２０ａｏに分けられる。各領域２０ａｉ、２０ａｏが有する位相シフト構造は、上述した各領域１１ａｉ、１１ａｏと同一であるため、ここでの説明は省略する。
【００５７】
なお以上説明した光ピックアップ光学系１０や対物レンズ２０が搭載される、各光ピックアップ装置１００、２００は、第一のレーザー光と第二のレーザー光の波長について、光ピックアップ光学系１０の光学素子１１や対物レンズ２０の屈折率を考慮しつつ比較した場合、以下の条件（１）を満たすように設計される。
0.55＜(λ1/(n1-1))/(λ2/(n2-1))＜0.65    ・・・（１）
但し、λ１は第一の波長を、
λ２は第二の波長を、
ｎ１は第一の波長λ１に対する光ピックアップ光学系１０の光学素子１１あるいは対物レンズ２０の屈折率を、
ｎ２は第二の波長λ２に対する光ピックアップ光学系１０の光学素子１１あるいは対物レンズ２０の屈折率を、それぞれ表す。
【００５８】
上記の光ピックアップ光学系１０や対物レンズ２０を搭載するとともに、条件（１）を満たすように構成された光ピックアップ装置は、各光ディスク使用時におけるレーザー光の回折効率を高めるとともに、特に第一の光ディスク使用時に波長が第一の波長から微小に変化することによる球面収差の変化を小さく抑えるという効果をより顕著に得ることができる。
【００５９】
以上説明した実施形態に基づく具体的な実施例を３例提示する。実施例１は、光ピックアップ装置１００の具体的実施例、実施例２および３は、光ピックアップ２００の具体的実施例である。従って、各実施例の光ピックアップ装置１００、２００の概略構成は図１や図４に示される。実施例１において、第一の光ディスクＤ１の保護層厚ｔ１が０．１ｍｍ、第二の光ディスクＤ２の保護層厚ｔ２が０．６ｍｍ、実施例２および３においては第一の光ディスクＤ１および第二の光ディスクＤ２は、いずれも保護層厚ｔ１、ｔ２が０．６ｍｍと想定する。
【実施例１】
【００６０】
実施例１の光ピックアップ装置１００に搭載される光ピックアップ光学系１０の具体的な仕様は、表１に示されている。
【００６１】
【表１】
2006252751.tif 000003
【００６２】
表１中、倍率の値が示すように、実施例１の光ピックアップ装置１００では、第一、第二いずれの光ディスクＤ１、Ｄ２使用時であっても、使用されるレーザー光は平行光束として光ピックアップ光学系１０に入射する。表１に示す光ピックアップ光学系１０を備える光ピックアップ装置１００の各光ディスクＤ１、Ｄ２使用時における具体的数値構成は、それぞれ表２、表３に示される。但し、表２、表３では、説明の便宜上、光源と光ピックアップ光学系１０の間に配設される部材および各光ディスクにおけるレーベル面に関する数値構成を省略している。なお各表における表記Ｅは、１０を基数、Ｅの右の数字を指数とする累乗を表している。後述する各実施例２、３で示す各表においても同様である。
【００６３】
【表２】
2006252751.tif 000004
【表３】
2006252751.tif 000005
【００６４】
各表中、ｒはレンズ各面の曲率半径（単位：ｍｍ）、ｄは情報の記録または再生時におけるレンズ厚またはレンズ間隔（単位：ｍｍ）、ｎ（Ｘｎｍ）は波長Ｘｎｍでの屈折率である。また、面番号１が位相シフト素子１１の第一面１１ａ、面番号２が該素子１１の第二面１１ｂを表す。面番号３、４が対物レンズ１２の各面を表し、面番号５、６は各光ディスクにおける保護層及び記録面を表す。
【００６５】
表１〜表３によれば、実施例１の光ピックアップ装置１００は、（λ１／（ｎ１−１））／（λ２／（ｎ２−１））＝０．５９２であり、条件（１）を満たすように構成されている。
【００６６】
実施例１の光ピックアップ装置１００は、第一のレーザー光が入射した場合に、第一の光ディスクの記録面上に所望のスポット径を得るための位相シフト素子１１の入射側の面での有効光束径が、第二のレーザー光が入射した場合に、第二の光ディスクの記録面上に所望のスポット径を得るための該入射側の面での有効光束径よりも大きくなるように設計される。そのため、第一面１１ａ（面番号１）は、互いに異なる位相シフト構造を持つ内側領域１１ａｉと外側領域１１ａｏを持つ。なお、第一面１１ａにおける各領域の範囲を光軸ＡＸからの高さｈで表すと、
内側領域１１ａｉ…ｈ≦１．３５、
外側領域１１ａｏ…１．３５＜ｈ＜１．７０、となる。
【００６７】
位相シフト素子１１の第一面１１ａ、および対物レンズ１２の両面は非球面である。各非球面の形状は光軸からの高さがｈとなる非球面上の座標点の該非球面の光軸上での接平面からの距離（サグ量）をＸ（ｈ）、非球面の光軸上での曲率（１／ｒ）をＣ、円錐係数をＫ、４次、６次、８次、１０次、１２次…の非球面係数をＡ４、Ａ６、Ａ８、Ａ１０、Ａ１２、…として、数１で示す式で表される。
【数１】
2006252751.tif 000006
【００６８】
各非球面の形状を規定する円錐係数と非球面係数は、表４に示される。表４に示すように、第一面１１ａにおいて、内側領域１１ａｉ、外側領域１１ａｏの非球面形状はそれぞれ異なる。
【００６９】
【表４】
2006252751.tif 000007
【００７０】
位相シフト素子１１の第一面１１ａに形成される位相シフト構造は具体的には表５に示される。表５は、第一面１１ａに形成される輪帯の範囲と、第一のレーザー光および第二レーザー光が各輪帯を透過することにより与えられる光路長付加量を示した表である。各輪帯の範囲は、光軸ＡＸからの高さｈｍｉｎ〜ｈｍａｘで表している。
【００７１】
【表５】
2006252751.tif 000008
【００７２】
表５に示すように、内側領域１１ａｉの位相シフト構造は、第一から第八までの８つの輪帯群と、各輪帯群の間に設けられた第一から第七の７つの戻り段差部からなる。換言すれば、内側領域１１ａｉの位相シフト構造は、輪帯群と戻り段差部からなる輪帯構造を第一から第七まで７つ有する。各輪帯群は第一輪帯群を除きいずれも３つの輪帯から構成されている。そして、各輪帯は第一のレーザー光に対する光路長付加量が２波長分（または−２波長分）となるように形成される。また各戻り段差部は、第一のレーザー光に対する光路長付加量が直前の輪帯（例えば第一戻り段差部に着目した場合、輪帯番号３の輪帯）の光路長付加量と反対方向に３波長分（または−３波長分）となるように形成される。表６に各輪帯構造および第八輪帯群に関する条件（２）と条件（３）の値を示す。表６に示すように、第一から第七の全ての輪帯構造が、条件（２）と条件（３）を満足していることが分かる。
【００７３】
【表６】
2006252751.tif 000009
【００７４】
また、表５に示すように、外側領域１１ａｏの位相シフト構造は、複数の輪帯からなる。各輪帯は、第一のレーザー光に対する光路長付加量が１波長分となるように形成される。
このように形成することにより、外側領域１１ａｏの位相シフト構造は、光学素子および対物レンズを透過した第一のレーザー光の収束にのみ寄与し、第二のレーザー光の収束には寄与しない、つまり第二のレーザー光に対する開口制限機能を有することができる。
【００７５】
以上説明した実施例１の位相シフト素子１１の第一面１０ａに設けられる位相シフト構造を回折構造として捉えると、該回折構造は、以下の光路差関数φ（ｈ）により表すことができる。
【数２】
2006252751.tif 000010
【００７６】
光路差関数φ（ｈ）は、回折面（第一面１０ａ）上での光軸からの高さｈの点において、回折構造により回折されなかった場合の仮想の光線と、回折構造により回折された光線との光路長差を示す。Ｐ２、Ｐ４、Ｐ６、…はそれぞれ二次、四次、六次、…の係数である。該回折構造を規定する光路差関数係数Ｐ２、…は、表７に示される。ｍは各領域１１ａｉ、１１ａｏにおいて各レーザー光の回折効率が最大となる回折次数を表す。上記の通り、回折次数ｍは、使用するレーザー光ごと、および回折構造が設けられる領域ごとに異なる値が設定されており、詳しくは表８に示される。表８に示すように、内側領域１１ａｉは、第一のレーザー光および第二のレーザー光の収束に寄与するような回折構造になっている。これに対し、外側領域１１ａｏは、光学素子および対物レンズを透過した第一のレーザー光の収束にのみ寄与する、つまり入射側の面での有効光束径が小さい第二のレーザー光に対する開口制限機能を持つような回折構造になっている。
【００７７】
【表７】
2006252751.tif 000011
【表８】
2006252751.tif 000012
【００７８】
図６（Ａ）は、実施例１の光ピックアップ装置１００において、設計波長（４０５ｎｍ）よりも＋５ｎｍ変化した第一のレーザー光が第一の光ディスクＤ１の記録面上で形成するスポットの強度とスポット中心からの距離との関係を表すグラフである。図６（Ｂ）は、実施例１の光ピックアップ装置１００において、設計波長（６６０ｎｍ）の第二のレーザー光が第二の光ディスクＤ２の記録面上で形成するスポットの強度とスポット中心からの距離との関係を表すグラフである。図７（Ａ）は、戻り段差部を持たない、換言すると、輪帯群だけで構成された輪帯構造を持つ光ピックアップ光学系を備える従前の光ピックアップ装置（以下、比較例１の光ピックアップ装置という）において、設計波長よりも＋５ｎｍ変化した第一のレーザー光が第一の光ディスクＤ１の記録面上で形成するスポットの強度とスポット中心からの距離との関係を表すグラフである。図７（Ｂ）は、比較例１の光ピックアップ装置において、設計波長の第二のレーザー光が第二の光ディスクＤ２の記録面上で形成するスポットの強度とスポット中心からの距離との関係を表すグラフである。各グラフにおいて、縦軸がスポット中心の強度を１００としたときの相対強度を、横軸がスポット中心からの距離（単位：ｍｍ）を、それぞれ示す。以下に説明する実施例２、３に関連して示すグラフも同一である。
【００７９】
図６（Ａ）と図７（Ａ）を比較すると、実施例１の光ピックアップ装置１００の方が、スポットの周囲に発生するいわゆるサイドローブの強度を良好に低減して情報の記録または再生に寄与する該スポット中央部の強度を高めていることが分かる。ここで、第一の光ディスク使用時に略無収差となる光ピックアップ光学系を備える光情報記録再生装置において、設計波長の第一のレーザー光が第一の光ディスクＤ１の記録面上で形成されるスポット径（強度が１３．５％でのスポット径をいう。以下同じ。）は０．３９７（μｍ）である。図７（Ａ）に示すスポット径は、０．３５９（μｍ）であるのに対し、図６（Ａ）に示すスポット径は０．３９４（μｍ）と設計波長時のスポット径と略同一である。また、設計波長の第一のレーザー光が無収差で第一の光ディスクＤ１の記録面上に収束した場合の光の回折効率を１００％と仮定した場合に、図７（Ａ）に示すスポットの回折効率が５４．１％であるのに対して、図６（Ａ）に示すスポットは８６．３％とかなり改善されている。
【００８０】
また、図６（Ｂ）と図７（Ｂ）を比較すると、実施例１の光ピックアップ装置１００と比較例１の光ピックアップ装置は、サイドローブも含めたスポット形状や強度が概ね近似していることが分かる。ここで、第二の光ディスク使用時に略無収差となる光ピックアップ光学系を備える光情報記録再生装置において、設計波長の第二のレーザー光が第二の光ディスクＤ２の記録面上で形成されるスポット径は０．８４０（μｍ）である。図７（Ｂ）に示すスポット径は０．８４２（μｍ）であるのに対し、図６（Ｂ）に示すスポットは０．８４０（μｍ）、つまり設計波長時のスポットと同一径である。また、設計波長の第二のレーザー光が無収差で第二の光ディスクＤ２の記録面上に収束した場合の光の回折効率を１００％と仮定した場合に、図７（Ｂ）に示すスポットの回折効率は、８６．９％であるに対して、図６（Ｂ）に示すスポットは８３．５％と若干落ちるものの、十分使用可能な範囲内にある。
【００８１】
以上の比較より、実施例１の光ピックアップ装置１００は、比較例１の装置に比べて、第一の光ディスクＤ１使用時に波長が微小に変化したことによる球面収差の変化を小さく抑え、高い光量をもって最適な径に極めて近いスポットを第一の光ディスクＤ１の記録面上に形成できる効果を有していることが分かる。また、実施例１の光ピックアップ装置１００は、該効果を有しつつも、第二の光ディスクＤ２使用時に該光ディスクＤ２の記録面上で形成されるスポットを、比較例１の装置と略同様の状態に維持していることも分かる。つまり、実施例１の光ピックアップ装置１００は、既存の第二の光ディスクに対して高精度での情報の記録または再生を保証しつつも、高密度で記録可能であるがために収差に対する許容度がより小さくなった第一の光ディスクＤ１に対する情報の記録または再生を、波長の変化の有無を問わず高い精度をもって実現することができる。
【実施例２】
【００８２】
実施例２の光ピックアップ装置２００に搭載される対物レンズ２０の具体的な仕様は、表９に示されている。
【００８３】
【表９】
2006252751.tif 000013
【００８４】
表９中、倍率の値が示すように、実施例２の光ピックアップ装置２００も実施例１と同様に、第一、第二いずれの光ディスクＤ１、Ｄ２使用時であっても、使用されるレーザー光は平行光束として対物レンズ２０に入射する。表９に示す対物レンズ２０を備える光ピックアップ装置２００の各光ディスクＤ１、Ｄ２使用時における具体的数値構成は、それぞれ表１０、表１１に示される。
【００８５】
【表１０】
2006252751.tif 000014
【表１１】
2006252751.tif 000015
【００８６】
各表中、面番号１、２が対物レンズ２０の第一面２０ａ、第二面２０ｂをそれぞれ表す。また、面番号３、４が各光ディスクにおける保護層及び記録面を表す。
【００８７】
表９〜表１１によれば、実施例２の光ピックアップ装置２００は、（λ１／（ｎ１−１））／（λ２／（ｎ２−１））＝０．５９２であり、実施例１と同様に、条件（１）を満たすように構成されている。
【００８８】
実施例２の光ピックアップ装置２００は、第一のレーザー光が入射した場合の対物レンズ２０の入射側の面での有効光束径が、第二のレーザー光が入射した場合の該入射側の面での有効光束径よりも大きくなるように設計される。そのため、第一面２０ａ（面番号１）は、互いに異なる位相シフト構造を持つ内側領域２０ａｉと外側領域２０ａｏを持つ。なお、第一面２０ａにおける各領域の範囲を光軸ＡＸからの高さｈで表すと、
内側領域２０ａｉ…ｈ≦１．８６、
外側領域２０ａｏ…１．８６＜ｈ＜１．９５、となる。
【００８９】
対物レンズ２０の両面は非球面として構成される。各非球面の形状を規定する円錐係数と非球面係数は、表１２に示される。表１２に示すように、第一面２０ａにおいて、内側領域２０ａｉ、外側領域２０ａｏの非球面形状はそれぞれ異なる。
【００９０】
【表１２】
2006252751.tif 000016
【００９１】
対物レンズ２０の第一面２０ａに形成される位相シフト構造は具体的には表１３に示される。表１３は、第一面２０ａに形成される輪帯の範囲と、第一のレーザー光および第二レーザー光が各輪帯を透過することにより与えられる光路長付加量を示した表である。各輪帯の範囲は、光軸ＡＸからの高さｈｍｉｎ〜ｈｍａｘで表している。
【００９２】
【表１３】
2006252751.tif 000017
【００９３】
表１３に示すように、内側領域２０ａｉの位相シフト構造は、第一から第五までの５つの輪帯群と、各輪帯群の間に設けられた第一から第四の４つの戻り段差部からなる。換言すれば、内側領域２０ａｉの位相シフト構造は、輪帯群と戻り段差部からなる輪帯構造を第一から第四まで４つ有する。各輪帯群は第一輪帯群を除きいずれも２つの輪帯から構成されている。そして、各輪帯は第一のレーザー光に対する光路長付加量が２波長分となるように形成される。また各戻り段差部は、第一のレーザー光に対する光路長付加量が直前の輪帯（例えば第一戻り段差部に着目した場合、輪帯番号２の輪帯）の光路長付加量と反対方向に３波長分となるように形成される。表１４に各輪帯構造および第五輪帯群に関する条件（２）と条件（３）の値を示す。表１４に示すように、第一から第四の全ての輪帯構造が、条件（２）と条件（３）を満足していることが分かる。
【００９４】
【表１４】
2006252751.tif 000018
【００９５】
また、表１３に示すように、外側領域２０ａｏの位相シフト構造は、複数の輪帯からなる。各輪帯は、第一のレーザー光に対して光路長付加量が１波長分となるように形成される。
【００９６】
以上説明した対物レンズ２０の第一面１０ａに設けられる位相シフト構造を回折構造として捉えた場合における光路差関数係数Ｐ２、…は、表１５に示される。回折次数ｍは、表１６に示される。表１６に示すように、内側領域２０ａｉは、第一のレーザー光および第二のレーザー光の収束に寄与するような回折構造になっている。これに対し、外側領域２０ａｏは、第一のレーザー光の収束にのみ寄与する、つまり第二のレーザー光に対する開口制限機能を持つような回折構造になっている。
【００９７】
【表１５】
2006252751.tif 000019
【表１６】
2006252751.tif 000020
【００９８】
図８（Ａ）は、実施例２の光ピックアップ装置２００において、設計波長よりも＋５ｎｍ変化した第一のレーザー光が第一の光ディスクＤ１の記録面上で形成するスポットの強度とスポット中心からの距離との関係を表すグラフである。図８（Ｂ）は、実施例２の光ピックアップ装置２００において、設計波長の第二のレーザー光が第二の光ディスクＤ２の記録面上で形成するスポットの強度とスポット中心からの距離との関係を表すグラフである。図９（Ａ）は、戻り段差部を持たない、換言すると、輪帯群だけで構成された輪帯構造を持つ対物レンズを備える以外は、実施例２と同一構成を採る従前の光ピックアップ装置（以下、比較例２の光ピックアップ装置という）において、設計波長よりも＋５ｎｍ変化した第一のレーザー光が第一の光ディスクＤ１の記録面上で形成するスポットの強度とスポット中心からの距離との関係を表すグラフである。図９（Ｂ）は、比較例２の光ピックアップ装置において、設計波長の第二のレーザー光が第二の光ディスクＤ２の記録面上で形成するスポットの強度とスポット中心からの距離との関係を表すグラフである。
【００９９】
図８（Ａ）と図９（Ａ）を比較すると、実施例２の光ピックアップ装置２００の方が、スポットの周囲に発生するいわゆるサイドローブの強度を良好に低減して情報の記録または再生に寄与する該スポット中央部の強度を高めていることが分かる。ここで、第一の光ディスク使用時に略無収差となる対物レンズを備える以外は、実施例２と同一構成を採る第一の光ディスク専用の光情報記録再生装置において、設計波長の第一のレーザー光が第一の光ディスクＤ１の記録面上で形成されるであろうスポットの径は０．５２０（μｍ）である。図９（Ａ）に示すスポット径は０．５２２（μｍ）、図８（Ａ）に示すスポット径は、０．５２４（μｍ）と設計波長時のスポットと略同一である。また、設計波長の第一のレーザー光が無収差で第一の光ディスクＤ１の記録面上に収束した場合の光の回折効率を１００％と仮定した場合に、図９（Ａ）に示すスポットの回折効率が８５．４％であるのに対して、図８（Ａ）に示すスポットは９４．３％と改善されている。
【０１００】
また、図８（Ｂ）と図９（Ｂ）を比較すると、実施例２の光ピックアップ装置２００と比較例２の光ピックアップ装置は、サイドローブも含めたスポット形状や強度が概ね近似していることが分かる。ここで、第二の光ディスク使用時に略無収差となる対物レンズを備える以外は、実施例２と同一構成を採る第二の光ディスク専用の光情報記録再生装置において、設計波長の第二のレーザー光が第二の光ディスクＤ２の記録面上で形成されるであろうスポットの径は０．９１８（μｍ）である。図９（Ｂ）に示すスポット径は、０．９１７（μｍ）、図８（Ａ）に示すスポット径は０．９１６（μｍ）、と設計波長時と略同一である。また、設計波長の第二のレーザー光が無収差で第二の光ディスクＤ２の記録面上に収束した場合の光の回折効率を１００％と仮定した場合に、図９（Ｂ）に示すスポットの回折効率は、９１．７％であるのに対し、図８（Ｂ）に示すスポットは８８．７％と若干落ちるものの、十分使用可能な範囲内にある。
【０１０１】
以上の比較より、実施例２の光ピックアップ装置２００は、比較例２の装置に比べて、第一の光ディスクＤ１使用時に波長が微小に変化したことによる球面収差の変化を小さく抑え、高い光量をもって最適な径に極めて近いスポットを第一の光ディスクＤ１の記録面上に形成できる効果を有していることが分かる。また、実施例２の光ピックアップ装置２００は、該効果を有しつつも、第二の光ディスクＤ２使用時に該光ディスクＤ２の記録面上で形成されるスポットを、比較例２の装置と略同様の状態に維持していることも分かる。つまり、実施例２の光ピックアップ装置２００は、既存の第二の光ディスクに対して高精度での情報の記録または再生を保証しつつも、高密度で記録可能であるがために収差に対する許容度がより小さくなった第一の光ディスクＤ１に対する情報の記録または再生を、波長の変化の有無を問わず高い精度をもって実現することができる。
【実施例３】
【０１０２】
実施例３の光ピックアップ装置２００に搭載される対物レンズ２０の具体的な仕様は、表１７に示されている。
【０１０３】
【表１７】
2006252751.tif 000021
【０１０４】
表１７中、倍率の値が示すように、実施例３の光ピックアップ装置２００も上記実施例２と同様に、第一、第二いずれの光ディスクＤ１、Ｄ２使用時であっても、使用されるレーザー光は平行光束として対物レンズ２０に入射する。表１７に示す対物レンズ２０を備える光ピックアップ装置２００の各光ディスクＤ１、Ｄ２使用時における具体的数値構成は、それぞれ表１８、表１９に示される。なお、表１８、１９に示す面番号１〜４は、上記実施例２で説明した面と同一の面を表す。
【０１０５】
【表１８】
2006252751.tif 000022
【表１９】
2006252751.tif 000023
【０１０６】
表１７〜表１９によれば、実施例３の光ピックアップ装置２００も、（λ１／（ｎ１−１））／（λ２／（ｎ２−１））＝０．５９２であり、実施例１と同様に、条件（１）を満たすように構成されている。
【０１０７】
実施例３の光ピックアップ装置２００は、上記の各実施例とは異なり、第二のレーザー光が入射した場合の対物レンズ２０の入射側の面での有効光束径の方が、第一のレーザー光が入射した場合の該入射側の面での有効光束径よりも大きくなるように設計される。そのため、第一面２０ａ（面番号１）は、互いに異なる位相シフト構造を持つ内側領域２０ａｉと外側領域２０ａｏを持つ。なお、第一面２０ａにおける各領域の範囲を光軸ＡＸからの高さｈで表すと、
内側領域２０ａｉ…ｈ≦２．０１５、
外側領域２０ａｏ…２．０１５＜ｈ＜２．０８０、となる。
【０１０８】
対物レンズ２０の両面は非球面として構成される。各非球面の形状を規定する円錐係数と非球面係数は、表２０に示される。表２０に示すように、第一面２０ａにおいて、内側領域２０ａｉ、外側領域２０ａｏの非球面形状はそれぞれ異なる。
【０１０９】
【表２０】
2006252751.tif 000024
【０１１０】
対物レンズ２０の第一面２０ａに形成される位相シフト構造は具体的には表２１に示される。表２１は、第一面２０ａに形成される輪帯の範囲と、第一のレーザー光および第二レーザー光が各輪帯を透過することにより与えられる光路長付加量を示した表である。各輪帯の範囲は、光軸ＡＸからの高さｈｍｉｎ〜ｈｍａｘで表している。
【０１１１】
【表２１】
2006252751.tif 000025
【０１１２】
表２１に示すように、内側領域２０ａｉの位相シフト構造は、第一から第五までの５つの輪帯群と、各輪帯群の間に設けられた第一から第四の４つの戻り段差部からなる。換言すれば、内側領域２０ａｉの位相シフト構造は、輪帯群と戻り段差部からなる輪帯構造を第一から第四まで４つ有する。各輪帯群は第一輪帯群を除きいずれも３つの輪帯から構成されている。そして、各輪帯は第一のレーザー光に対する光路長付加量が２波長分となるように形成される。また各戻り段差部は、第一のレーザー光に対する光路長付加量が直前の輪帯（例えば第一戻り段差部に着目した場合、輪帯番号３の輪帯）の光路長付加量と反対方向に３波長分となるように形成される。表２２に各輪帯構造および第五輪帯群に関する条件（２）と条件（３）の値を示す。表２２に示すように、第一から第四の全ての輪帯構造が、条件（２）と条件（３）を満足していることが分かる。
【０１１３】
【表２２】
2006252751.tif 000026
【０１１４】
また、表２１に示すように、外側領域２０ａｏの位相シフト構造は、複数の輪帯からなる。各輪帯は、第二のレーザー光に対して光路長付加量が１波長分となるように形成される。
【０１１５】
以上説明した対物レンズ２０の第一面１０ａに設けられる位相シフト構造を回折構造として捉えた場合における光路差関数係数Ｐ２、…は、表２３に示される。回折次数ｍは、表２４に示される。表２４に示すように、内側領域２０ａｉは、第一のレーザー光および第二のレーザー光の収束に寄与するような回折構造になっている。これに対し、外側領域２０ａｏは、第二のレーザー光の収束にのみ寄与する、つまり入射側の面での有効光束径が小さい第一のレーザー光に対する開口制限機能を持つような回折構造になっている。
【０１１６】
【表２３】
2006252751.tif 000027
【表２４】
2006252751.tif 000028
【０１１７】
図１０（Ａ）は、実施例３の光ピックアップ装置２００において、設計波長よりも＋５ｎｍ変化した第一のレーザー光が第一の光ディスクＤ１の記録面上で形成するスポットの強度とスポット中心からの距離との関係を表すグラフである。図１０（Ｂ）は、実施例３の光ピックアップ装置２００において、設計波長の第二のレーザー光が第二の光ディスクＤ２の記録面上で形成するスポットの強度とスポット中心からの距離との関係を表すグラフである。図１１（Ａ）は、戻り段差部を持たない、換言すると、輪帯群だけで構成された輪帯構造を持つ対物レンズを備える以外は、実施例３と同一構成を採る従前の光ピックアップ装置（以下、比較例３の光ピックアップ装置という）において、設計波長よりも＋５ｎｍ変化した第一のレーザー光が第一の光ディスクＤ１の記録面上で形成するスポットの強度とスポット中心からの距離との関係を表すグラフである。図１１（Ｂ）は、比較例３の光ピックアップ装置において、設計波長の第二のレーザー光が第二の光ディスクＤ２の記録面上で形成するスポットの強度とスポット中心からの距離との関係を表すグラフである。
【０１１８】
図１０（Ａ）と図１１（Ａ）を比較すると、実施例３の光ピックアップ装置２００の方が、スポットの周囲に発生するいわゆるサイドローブの強度を良好に低減して情報の記録または再生に寄与する該スポット中央部の強度を高めていることが分かる。ここで、第一の光ディスク使用時に略無収差となる対物レンズを備える以外は、実施例３と同一構成を採る第一の光ディスク専用の光情報記録再生装置において、設計波長の第一のレーザー光が第一の光ディスクＤ１の記録面上で形成されるであろうスポットの径は０．５２１（μｍ）である。図１１（Ａ）に示すスポット径は０．５３４（μｍ）であるのに対し、図１０（Ａ）に示すスポット径は、０．５３０（μｍ）と、実施例３の光ピックアップ装置２００の方がより好適なスポット形状に近い。また、設計波長の第一のレーザー光が無収差で第一の光ディスクＤ１の記録面上に収束した場合の光の回折効率を１００％と仮定した場合に、図１１（Ａ）に示すスポットの回折効率は、８２．０％であるのに対し、図１０（Ａ）に示すスポットは９５．６％と改善されている。
【０１１９】
また、図１０（Ｂ）と図１１（Ｂ）を比較すると、実施例３の光ピックアップ装置２００と比較例３の光ピックアップ装置は、サイドローブも含めたスポット形状や強度が概ね近似していることが分かる。ここで、第二の光ディスク使用時に略無収差となる対物レンズを備える以外は実施例３と同一構成を採る第二の光ディスク専用の光情報記録再生装置において、設計波長の第二のレーザー光が第二の光ディスクＤ２の記録面上で形成されるであろうスポットの径は０．８５１（μｍ）である。図１１（Ｂ）に示すスポット径は、０．８６１（μｍ）であるのに対し、図１０（Ｂ）に示すスポット径は０．８５３（μｍ）と設計波長時のスポット径と略同一である。また、設計波長の第二のレーザー光が無収差で第二の光ディスクＤ２の記録面上に収束した場合の光の回折効率を１００％と仮定した場合に、図１１（Ｂ）に示すスポットの回折効率は、８７．７％であるのに対し、図１０（Ｂ）に示すスポットは８６．９％と若干落ちるものの、十分使用可能な範囲内にある。
【０１２０】
以上の比較より、実施例３の光ピックアップ装置２００は、比較例３の装置に比べて、第一の光ディスクＤ１使用時に波長が微小に変化したことによる球面収差の変化を小さく抑え、高い光量をもって最適な径に極めて近いスポットを第一の光ディスクＤ１の記録面上に形成できる効果を有していることが分かる。また、実施例３の光ピックアップ装置２００は、該効果を有しつつも、第二の光ディスクＤ２使用時に該光ディスクＤ２の記録面上で形成されるスポットを、比較例３の装置と略同様の状態に維持していることも分かる。つまり、実施例３の光ピックアップ装置２００は、既存の第二の光ディスクに対して高精度での情報の記録または再生を保証しつつも、高密度で記録可能であるがために収差に対する許容度がより小さくなった第一の光ディスクＤ１に対する情報の記録または再生を、波長の変化の有無を問わず高い精度をもって実現することができる。
【０１２１】
以上が本発明の実施例である。なお、上記の各実施例はあくまでも本発明に係る光ピックアップ光学系や対物レンズを備える光ピックアップ装置の一例である。つまり本発明は、各実施例の具体的数値構成に限定されるものではない。例えば位相シフト構造を設ける面は、位相シフト素子や対物レンズの第一面ではなく、第二面であってもよい。また、第一面と第二面の両方に回折構造を設けても良い。
【０１２２】
なお、図３において、輪帯構造は複数示した。また各実施例でも内側領域１１ａｉ、２０ａｉは複数の輪帯構造を有していると説明した。しかし本発明は、光ピックアップ光学系の位相シフト素子および対物レンズの各内側領域が有する位相シフト構造において、輪帯構造は、少なくとも一つあれば波長の微小な変化に対応した収差の変化を抑制する効果は得られる。つまり該輪帯構造は、必ずしも複数形成する必要はない。
【図面の簡単な説明】
【０１２３】
【図１】本発明の実施形態の光ピックアップ光学系を搭載する光ピックアップ装置の概略構成および各光ディスクを示す図である。
【図２】実施形態の光ピックアップ光学系を拡大して示す図である。
【図３】実施形態の輪帯構造を説明するための図である。
【図４】本発明の実施形態の対物レンズを搭載する光ピックアップ装置の概略構成および光ディスクを示す図である。
【図５】実施形態の対物レンズを拡大して示す図である。
【図６】図６（Ａ）は、実施例１の装置において、設計波長よりも＋５ｎｍ変化した第一のレーザー光が第一の光ディスクの記録面上で形成するスポットの強度とスポット中心からの距離との関係を表すグラフである。図６（Ｂ）は、実施例１の装置において、設計波長の第二のレーザー光が第二の光ディスクの記録面上で形成するスポットの強度とスポット中心からの距離との関係を表すグラフである。
【図７】図７（Ａ）は、比較例１の装置において、設計波長よりも＋５ｎｍ変化した第一のレーザー光が第一の光ディスクの記録面上で形成するスポットの強度とスポット中心からの距離との関係を表すグラフである。図７（Ｂ）は、比較例１の装置において、設計波長の第二のレーザー光が第二の光ディスクの記録面上で形成するスポットの強度とスポット中心からの距離との関係を表すグラフである。
【図８】図８（Ａ）は、実施例２の装置において、設計波長よりも＋５ｎｍ変化した第一のレーザー光が第一の光ディスクの記録面上で形成するスポットの強度とスポット中心からの距離との関係を表すグラフである。図８（Ｂ）は、実施例２の装置において、設計波長の第二のレーザー光が第二の光ディスクの記録面上で形成するスポットの強度とスポット中心からの距離との関係を表すグラフである。
【図９】図９（Ａ）は、比較例２の装置において、設計波長よりも＋５ｎｍ変化した第一のレーザー光が第一の光ディスクの記録面上で形成するスポットの強度とスポット中心からの距離との関係を表すグラフである。図９（Ｂ）は、比較例２の装置において、設計波長の第二のレーザー光が第二の光ディスクの記録面上で形成するスポットの強度とスポット中心からの距離との関係を表すグラフである。
【図１０】図１０（Ａ）は、実施例３の装置において、設計波長よりも＋５ｎｍ変化した第一のレーザー光が第一の光ディスクの記録面上で形成するスポットの強度とスポット中心からの距離との関係を表すグラフである。図１０（Ｂ）は、実施例３の装置において、設計波長の第二のレーザー光が第二の光ディスクの記録面上で形成するスポットの強度とスポット中心からの距離との関係を表すグラフである。
【図１１】図１１（Ａ）は、比較例３の装置において、設計波長よりも＋５ｎｍ変化した第一のレーザー光が第一の光ディスクの記録面上で形成するスポットの強度とスポット中心からの距離との関係を表すグラフである。図１１（Ｂ）は、比較例３の装置において、設計波長の第二のレーザー光が第二の光ディスクの記録面上で形成するスポットの強度とスポット中心からの距離との関係を表すグラフである。
【符号の説明】
【０１２４】
１０  光ピックアップ光学系
１１  位相シフト素子
１２  対物レンズ
２０  対物レンズ
Ｄ１、Ｄ２  光ディスク
１００、２００  光ピックアップ装置
【図１】
2006252751.tif 000029
【図２】
2006252751.tif 000030
【図３】
2006252751.tif 000031
【図４】
2006252751.tif 000032
【図５】
2006252751.tif 000033
【図６】
2006252751.tif 000034
【図７】
2006252751.tif 000035
【図８】
2006252751.tif 000036
【図９】
2006252751.tif 000037
【図１０】
2006252751.tif 000038
【図１１】
2006252751.tif 000039